(57)【要約】【課題】要介護者を仰臥位と側臥位との間で体位変換させるのに好都合な介護補助具を提供する。【解決手段】介護補助具１は、平面視したときに横方向に延びる長方形の形状を有し、左右対称の形状及び構造を有している。介護補助具1は、中央隔壁2によって分離された左右一対の膝載せ空間3と側壁4を有し、各側壁4の外面4aは上下に延びる起立面で構成されている。介護補助具1の底面5のうち長手方向両側部分5a及び前後方向端部分5bが湾曲面又は傾斜面で構成され、中央部分5cが水平面で構成されている。介護者は側壁4の取っ手7を使って介護補助具1を操作することができる。【選択図】図１
2007244426.tif 000002
【特許請求の範囲】
【請求項１】
要介護者の両膝の下に置いて使用する介護補助具であって、
要介護者の両膝の間隔を保持するための中央隔壁を有し、
要介護者を横断する方向に延びる底面の両側部分が、各側部分に関連した側縁に向けて徐々に高位となる形状に形作られていることを特徴とする介護補助具。
【請求項２】
中央隔壁との間で要介護者の各膝部分を受け入れる空間を規定する側壁を更に有する、請求項１に記載の介護補助具。
【請求項３】
前記側壁又は該側壁の外面に介護者用の取っ手が設けられている、請求項２に記載の介護補助具。
【請求項４】
前記底面が、前記介護補助具を側面視したときに、その前後の端部分が、各端部分に関連した端縁に向けて徐々に高位となる形状に形成されている、請求項１〜３のいずれか一項に記載の介護補助具。
【請求項５】
正面視したときに上下に扁平な多角形又は略楕円の外形輪郭を備えていると共に中央隔壁を挟んで左右に分離した２つの貫通穴を有し、
前記２つの貫通穴の各々に要介護者の膝部分が挿入可能であることを特徴とする介護補助具。
【請求項６】
前記介護補助具を正面視したときに、前記介護補助具の上面と２つの貫通穴の上端との間の離間距離と、前記介護補助具の下面と前記２つの貫通穴の下端との間の離間距離とが異なる、請求項５に記載の介護補助具。
【請求項７】
前記介護補助具に脱着可能な錘部材を更に有し、
該錘部材が前記中央隔壁に装着される、請求項１〜６のいずれか一項に記載の介護補助具。
【請求項８】
前記介護補助具に脱着可能なハンドル部材を更に有し、
該ハンドル部材が前記中央隔壁に装着される、請求項１〜６のいずれか一項に記載の介護補助具。
【発明の詳細な説明】
【技術分野】
【０００１】
本発明は、要介護者を仰臥位と側臥位との間で体位変換させるのに好都合な介護補助具に関する。
【背景技術】
【０００２】
重度の身体障害や疾患などにより自力で仰臥位から側臥位に体位変換できない要介護者にとって床ずれ防止及びおむつ交換は重要な問題を提起する。特許文献１は、仰臥位の要介護者の臀部を持ち上げる器具を提案しているが、この器具は要介護者が自力で操作する必要があるため適用範囲は制限的である。
【０００３】
運動機能を失った又は運動機能が著しく低下した寝たきりの要介護者を含めて、介護者と要介護者の双方が無理なく且つ快適に使用できる体位変換のための介護補助具の出現が望まれるが、この要望に応じることのできる器具は、残念ながら未だに出現していないのが実状である。このため、介護者は、寝たきり高齢者や重度の身体障害者の床ずれ防止やおむつ交換のために、要介護者を毎日何回も体位変換させる労力が強いられている。
【０００４】
自力で体位変換できない要介護者は、同じ姿勢のままで臥床しているために、下肢関節の屈曲変形及び／又は屈曲拘縮に伴う骨盤の捩れなどの二次的な障害が発生し易く、その結果、下着の着脱やおむつ交換などの介護負担が増大する要因となっている。このような問題を防止するのに下肢関節を良肢位に保持することは、要介護者の介護する上で重要な課題となっている。
【０００５】
自力で体位変換できない要介護者は、このことに加えて自らの残存筋力を使って運動することが機能維持及び／又は向上にとって重要であると言われている。
【特許文献１】特開２０００−７０３１３号公報
【発明の開示】
【発明が解決しようとする課題】
【０００６】
本発明の目的は、介護者が要介護者を仰臥位と側臥位との間で体位変換させるのに好都合な介護補助具を提供することにある。
【０００７】
本発明の更なる目的は、介護者が要介護者を仰臥位と側臥位との間で体位変換させる労力を軽減することのできる介護補助具を提供することにある。
【０００８】
本発明の更なる目的は、要介護者が臥床中に日常的に使用することで、下肢関節を良肢位に保って骨盤の捩れや不良な下肢関節の屈曲変形及び／又は屈曲拘縮を予防することのできる介護補助具を提供することにある。
【０００９】
本発明の更なる目的は、下肢の運動を自力では行えない要介護者が、残存筋力を生かして容易に下肢の運動を行うことのできる介護補助具を提供することにある。
【００１０】
本発明の更なる目的は、体重の重い要介護者や下肢関節の変形や拘縮がある要介護者のおむつ交換や摘便を全介助で行う際、要介護者に排泄介護に適した姿勢をとらせることにより、要介護者の快適性と介護者の負担軽減を図ることのできる介護補助具を提供することにある。
【課題を解決するための手段】
【００１１】
上記の技術的課題は、本発明によれば、基本的には、
要介護者の両膝の下に置いて使用する介護補助具であって、
要介護者の両膝の間隔を保持するための中央隔壁を有し、
要介護者を横断する方向に延びる底面の両側部分が、各側部分に関連した側縁に向けて徐々に高位となる形状に形作られていることを特徴とする介護補助具を提供することにより達成される。
【００１２】
すなわち、仰臥位の要介護者の両膝部分の間に中央隔壁を位置させた状態で、両膝部分の下に介護補助具を装着した後、介護者が介護補助具を横向きにするように力を加えつつ要介護者の身体、典型的には肩や背中を押すまたは手前に引くことで、側部分の形状によって簡単に介護補助具が要介護者の両膝を伴って横向きになり、これにより要介護者の腰も横向きになり、これに促されて背中も横向きになる。つまり介護補助具によって側臥位への体位変換を促すことができる。さらに、要介護者を側臥位から仰臥位に変換する際も、要介護者を仰向けにするように力を加えつつ要介護者の肩や腰を押す又は引くことで、仰臥位への体位変換を促すことができる。
【００１３】
側臥位では、要介護者の両膝の間に中央隔壁が位置していることから、これにより両膝の間に空間ができるため要介護者の股間を開いておむつ交換や摘便などの処置を行うことができる。
【００１４】
この介護補助具は、典型的にはクッション材やガスを封入した中空体で構成することができるため軽量であり、また、要介護者に対する当たりが柔らかいことから、要介護者は日常的に使用することができる。例えば仰臥位で使用したときには、膝が側方に倒れるのを中央隔壁で抑えることができるため、下肢関節を良肢位に保って骨盤の捩れや不良な下肢関節の屈曲変形及び／又は屈曲拘縮を予防することができる。この効果を一層効果的にするのに、中央隔壁を挟んで両側に側壁を設けるのが好ましい。この側壁は、要介護者を側臥位に体位変換したときに要介護者の下に側壁が位置するため、この側壁によって要介護者の側臥位を維持するのに役立つことになるが、この効果を一層効果的にするのに、介護補助具を正面視したときに側壁の外面を起立面で構成するのがよい。
【００１５】
介護補助具は、また、要介護者の運動にも役立つことができる。つまり、仰臥位で使用したときに膝を左右に揺することで介護補助具は左右に揺れることから、要介護者の残存筋力を使った下肢運動を介護補助具が手助けすることができる。
【００１６】
本発明の好ましい実施の形態では、介護補助具の底面が、介護補助具を側面視したときに、その前後の端部分が、各端部分に関連した端縁に向けて徐々に高位となる形状に形成されており、これにより、要介護者が快適と感じる向きに介護補助具を調整するのが容易になるだけでなく、仰臥位で使用したときに膝を前後に揺することで介護補助具は前後に揺れることから、要介護者の残存筋力を使った下肢運動を介護補助具が手助けすることができる。
【００１７】
本発明の前述した目的及び他の目的並びに作用効果は以下の実施例の詳細な説明から明らかになるであろう。
【発明を実施するための最良の形態】
【００１８】
以下に、添付の図面に基づいて本発明の好ましい実施例を説明する。
【００１９】
第１実施例（図１〜図１２）：
図１は実施例の介護補助具の斜視図であり、図２は正面図、図３は側面図である。図１〜図３を参照して、介護補助具１は、平面視したときに横方向に延びる長方形の形状を有し、左右対称の形状及び構造を有している。介護補助具１は長手方向中央部分を横断して上方に延びる中央隔壁２を有し、この中央隔壁２を挟んで左右一対の膝載せ空間３が形成されている。各膝載せ空間３は、好ましくは、その外方に位置する側壁４によって規定され、各側壁４の外面４ａは上下に延びる起立面、好ましくは垂直面で構成されている。すなわち、介護補助具１は、好ましくは左右の一対の側壁４、４と、この一対の側壁４、４の中間に位置する中央隔壁２とを有し、これにより上方に開放した一対の膝載せ空間３、３が形成されている。
【００２０】
介護補助具１は、その側壁４が中央隔壁２に比べて高さ寸法が小さく且つ肉厚も小さい。換言すれば、中央隔壁２は高さ寸法及び肉厚は側壁４よりも大きく、中央隔壁２の高さ寸法及び肉厚は、要介護者を側臥位に体位変換させたときに、要介護者の両膝の間隔が適度に広がった状態に維持できるように設定される。
【００２１】
介護補助具１の底面５は、介護補助具１を正面視したときに底面５の長手方向両側部分５ａが下方に向けて突出した湾曲面で構成されており（図２）、また、側面視したときに、介護補助具１の前後の端部分５ｂが下方に向けて突出した湾曲面で構成されている（図３）。そして、底面５の中央部分５ｃが平らな水平面で構成されている（図２、図３）。
【００２２】
介護補助具１の底面５は、図４に例示するように、介護補助具１を正面視したときに底面５の長手方向両側部分５ａが中央部分５ｃから側壁外面４ａに向けて斜め上方に傾斜した傾斜面で構成してもよい。このことは介護補助具１を側面視したときに底面５の前後の端部分５ｂについても同様である。また、図５に例示するように、正面視したときに底面５が一方の側壁外面４ａから他方の側壁外面４ａに亘って下方に突出した湾曲面で構成されてもよい。このことは側面視したときの前後の端部分５ｂについても同様である。つまり、底面５の中央部分５ｃについても、平らな水平面に代えて下方に向けて突出した湾曲面で構成してもよく、具体的には介護補助具１の底面５の全域を下方に向けて突出した曲面で構成してもよい。
【００２３】
介護補助具１は、上記の形状を備えたクッション材からなる本体を包囲する、例えば布や柔軟なプラスチック製のアウタ６を備えている。このアウタ６は、好ましくは、両側壁の部分に取っ手７を設置するのが好ましい。
【００２４】
介護補助具１は、本体をクッション材で作る代わりに、例えば浮き袋のようにエアなどのガスを封入した中空体で構成してもよく、この場合には、中空体の中に封入するガスの量が調整可能であるのが好ましい。
【００２５】
上記介護補助具１の典型的な使用方法を図６〜図１１を参照して説明する。図６は、仰臥位の要介護者１０の両下肢の下に介護補助具１を挿入する準備工程を示し、図示のように、介護補助具１を横倒した状態で要介護者１０の足元に置く。図示の要介護者１０は両膝が片側に倒れ、骨盤が捩れた姿勢で寝たきりとなっている患者である。このような不良な姿勢で寝ている患者は、膝の内側に床ずれが発生し易く、また、股関節が開き難いためおむつ交換などの排泄介助が非常に困難である。
【００２６】
図７に図示のように、横倒しの介護補助具１の左右の膝載せ空間３、３に夫々両足が入るように介護補助具１をセットした後、介護補助具１０をスライドさせて要介護者１０の膝下まで挿入する。
【００２７】
次いで、介護者１１は、取っ手７を握って介護補助具１を起こし（図９）、要介護者１０が快適と感じる介護補助具１の位置及び前後角度（介護補助具１の向き）に調整する（図１０、図１１）。このようにして仰臥位の要介護者１０に対する介護補助具１の位置決めを行った後に、介護者１１は、片手で取っ手７を握り、他方の手を要介護者１０の肩にあてがって要介護者１０が寝返りしたい方向に回転させる。これにより、図１２から分かるように、要介護者１０は側臥位の体位になる。
【００２８】
要介護者１０が側臥位をとったときには、介護補助具１は、その下方に位置する側壁４の上に膝が乗った状態にあり、また、側壁４の外面４ａが起立面（側臥位では水平面になる）で構成されていることから要介護者１０は側臥位の姿勢を保つことができるが、必要であれば、要介護者１０の背中や肩の部分に二つ折りした座布団や楔状のクッション部材Ｃを挟み込んでもよい（図１３）。
【００２９】
側臥位では、要介護者１０は、両膝の間に介護補助具１の中央隔壁２を挟み込んだ状態となるため、両膝が中央隔壁２によって強制的に開いた状態となり、これにより両膝の間に空間ができるため要介護者１０の股間を開くことが容易となり、おむつ交換や摘便などの処置を楽に行うことができる。また、要介護者１０を仰臥位から側臥位に楽に体位変換させることができるため、介護者１１は要介護者１０の体位変換の頻度を多くすることで要介護者１０の床ずれを防止することができる。
【００３０】
介護補助具１は、要介護者１０が日常的に使用することができる。図１０に戻って、下肢の運動を自力で行うことのできない者を含む要介護者１０は、臥床中に介護補助具１を両膝の下に置くことで、下肢関節を良肢位に保って骨盤の捩れや不良な下肢関節の屈曲変形及び／又は屈曲拘縮を予防することができる。
【００３１】
引き続き図１０を参照して、下肢の運動を自力で行うことができないものの運動機能が僅かでも残っている者を含む要介護者１０にとっては、膝を左右に揺らすことにより日常的な下半身のローリング運動を行うことができ、また、膝を前後に動かす下半身の運動を行うことができ、これにより要介護者１０の運動機能を維持及び／又は向上することができる。
【００３２】
また、このような要介護者１０の下半身の運動を補助するために、図１及び図２に仮想線で示すように中央隔壁２の頂面の中央に開口する縦穴１２を設け、この縦穴１２に装着する部材１３又は１４（図２）を装着できるようにしてもよい。図２に図示の第１部材１３は縦ロッド１３ａの上端に錘１３ｂを備えている。また、図２に図示の第２部材１４は、縦ロッド１４ａの上端にハンドル１４ｂを備えている。
【００３３】
例えば、第１部材１３の縦ロッド１３ａの下端部を縦穴１２に挿入することで介護補助具１に第１部材１３を装着したときには、両膝の上方に位置する錘１３ｂによって下半身の運動を助勢することができる。また、第２部材１４の縦ロッド１４ｂの下端部を縦穴１２に挿入することで介護補助具１に第２部材１４を装着したときには、要介護者１０はハンドル１４ｂを把持することで、このハンドル１４ｂを持った状態で下半身の運動を行うことができる。
【００３４】
第２実施例（図１４、図１５）：
図１４、図１５は第２実施例の介護補助具２０を示すものであり、図１４は正面図、図１５は図１４のX14-X14線に沿った断面図である。
【００３５】
この第２実施例の介護補助具２０にあっては、正面視したときに上下を曲面２１、２２を備え、左右に起立面２３、２３を備えた外形輪郭を有する。そして、介護補助具２０は、これを正面視したときに、左右に分離した２つの貫通穴２４、２４を有し、この２つの貫通穴２４、２４の間に中央隔壁２５が位置している。
【００３６】
この介護補助具２０を上述した第１実施例の介護補助具１と対比して説明すれば、第２実施例の介護補助具２０の２つの貫通穴２４が、第１実施例における膝載せ空間３に相当し、また、この２つの貫通穴２４、２４間の中央隔壁２５が、第１実施例における中央隔壁２に相当し、各貫通穴２４と、これに隣接する起立面２３が、第１実施例における側壁外面４ａに相当し、起立面２３と貫通穴２４との間の壁２６が、第１実施例の側壁４に相当する。また、第１実施例における取っ手７は、第２実施例の介護補助具２０をアウタ（図示せず）で包囲して、このアウタに取っ手を設けてもよいし、介護補助具２０の側部に設けた第２貫通穴２７を取っ手として使って第２貫通穴２７に手を差し込むことより介護補助具２０を操作するようにしてもよい。
【００３７】
この第２実施例においても、上面２１及び下面２２は、介護補助具２０を側面視したときに、その前後の端部２１ａ、２１ｂ、２２ａ、２２ｂが外方に向けて湾曲した面で構成してもよいし傾斜面で構成してもよい。また、介護補助具２０を側面視したときの上面２１及び下面２２の中央部分２１ｃ、２２ｃは水平面であってもよいし、湾曲した面で構成してもよい。
【００３８】
この第２実施例の介護補助具２０においては、２つの貫通穴２４、２４に要介護者１０の両膝を収容させることにより要介護者１０に装着され、その作用効果は上述した第１実施例と同様である。
【００３９】
第２実施例の介護補助具２０は、中央隔壁２５の上方及び下方に錘２８を設けることで要介護者１０の運動を助勢するようにしてもよいし、また、第１実施例と同様に、上面２１、下面２２の中央に縦穴（図示せず）を設けて、上述した第１部材１３、第２部材１４を装着可能にするようにしてもよい。
【００４０】
また、第２実施例の介護補助具２０において、左右の第１貫通穴つまり膝受け入れ穴２４、２４の上端と上面２１との離間距離Ｄ１と、膝受け入れ穴２４、２４の下端と下面２２との離間距離Ｄ２とが異なるように設計してもよい。ちなみに、図１４の図示の例では、離間距離Ｄ１がＤ２よりも小さい。これによれば、要介護者１０の好み又は体格に応じて、介護補助具２０を上下反転させて使用することができる。
【００４１】
第３実施例（図１６、図１７）：
図１６、図１７は第３実施例の介護補助具３０を示すものであり、図１６は正面図、図１７は図１６のX16-X16線に沿った断面図である。
【００４２】
介護補助具３０は、これを正面視したときの外形輪郭が略楕円形状である点を除いて、上述した第２実施例の介護補助具２０と実質的に同じ構成を有している。このことから、第３実施例に含まれる要素のうち、第２実施例と同じ要素には同じ参照符号を付して図示してある。
【００４３】
第３実施例の介護補助具３０は前述したように、介護補助具３０を正面視したときに、略楕円形状の外形輪郭を有しており、第２実施例で説明した共に湾曲面の上面２１及び下面２２の各端が互いに曲面で連結された外形輪郭を有している。
【００４４】
この第３実施例の介護補助具３０にあっても第２実施例の介護補助具２０と実質的に同じ使用方法によって実質的に同じ作用効果を奏することができるが、一般人が美容又は健康のための運動器具として使用することができる。
【００４５】
従来から下半身の運動として金魚運動が知られており、そのための美容器具又は運動器具として、仰臥位の腰の下に敷く回転自在なテーブルと、両足の足首の下に敷く枕とを有し、この足首枕を左右に往復運動させることにより下半身を左右にスイングさせる器具が知られている。
【００４６】
第３実施例の介護補助具３０は、健常人の美容器具又は運動器具として、腰のツイスト運動のための器具として使用することができることから、介護補助具と呼ぶよりも美容器具又は運動器具と呼ぶ方が相応しいかも知れない。
【００４７】
すなわち、図１６、図１７に図示の美容器具又は運動器具は、その左右の貫通穴２４に下肢を入れて左右の典型的には膝又はその周辺が左右の貫通穴２４、２４に受け入れられた状態にした後に，仰臥位で下半身を左右に揺することで下半身が横向きになるまで下半身を捻ることができ、これを左右に繰り返すことで下半身のツイスト運動を行うことができる。
【００４８】
図１８、図１９は、第３実施例の美容器具又は運動器具３０の変形例を示す。この変形例の美容器具又は運動器具４０は、第３実施例と同様に、健常人の美容器具又は運動器具として好ましく、一つの第１貫通穴２４を備えており、両方の下肢を第１貫通穴２４に挿入して使用することができる。
【００４９】
この美容器具又は運動器具４０の更なる変形例又は前述した第３実施例３０の更なる変形例として図２０、図２１の実施例５０を示す。この図２０、図２１の実施例５０は、図１６（第３実施例）、図１８（第３実施例の変形例）を上下に半割した外形形状を有し、その外形は、第１実施例（図１）に近似している。したがって、第１実施例に含まれる要素と実質的に同じ要素には、第１実施例で使用した参照符号を付すことにより、その説明を省略する。
【００５０】
図２０、図２１を参照して、美容器具又は運動器具５０の底面５は、美容器具又は運動器具５０を正面視したときに一端から他端に亘って延びる湾曲面で構成され（図２０）、また、美容器具又は運動器具５０を側面視したときに前端から後端に亘って延びる湾曲面で構成されている（図２１）。美容器具又は運動器具５０を側面視したときの底面５を形状は、図１７を参照して説明した形状であってもよいし、図１９を参照して説明した形状であってもよい。
【００５１】
上述した器具２０、３０、４０、５０は、第１実施例の器具１０と同様に、クッション材で構成してもよいし、ガスを封入した中空体で構成してもよく、仮に中空体で構成したときには、封入するガス量を調整して弾力性を任意に調整できるのが好ましい。
【図面の簡単な説明】
【００５２】
【図１】第１実施例の介護補助具の斜視図である。
【図２】図１の介護補助具の正面図である。
【図３】図１の介護補助具の側面図である。
【図４】図１の介護補助具の底面を正面視したときの輪郭形状の変形例を説明するための図である。
【図５】図１の介護補助具の底面を正面視したときの輪郭形状の更なる変形例を説明するための図である。
【図６】第１実施例の介護補助具の使用方法を説明するための図であり、介護補助具を要介護者に装着する準備工程を示す図である。
【図７】第１実施例の介護補助具の使用方法を説明するための図であり、介護補助具を要介護者に装着する過程の第１段階の工程を示す図である。
【図８】第１実施例の介護補助具の使用方法を説明するための図であり、図７の工程を経て介護補助具に膝下まで介護補助具を移動させた状態を示す図である。
【図９】第１実施例の介護補助具の使用方法を説明するための図であり、図８の状態から介護補助具を起こした状態を示す図である。
【図１０】要介護者の膝下に装着した要介護者が快適な状態になる位置及び向きに介護補助具を位置決めした状態を正面から見た図である。
【図１１】図１０の状態を側面から見た図である。
【図１２】図１０及び図１１の仰臥位から側臥位に体位変換した状態を示す図である。
【図１３】側臥位を保持するために楔状のクッション材を背中又は肩にあてがった状態を示す図である。
【図１４】第２実施例の介護補助具の正面図である。
【図１５】図１４のX15−X15線に沿った断面図である。
【図１６】第３実施例の介護補助具の正面図であり、この第３実施例の介護補助具は健常人の美容器具又は運動器具として最適である。
【図１７】図１６のX17−X17線に沿った断面図である。
【図１８】第３実施例の変形例の美容器具又は運動器具の正面図である。
【図１９】図１８のX19−X19線に沿った断面図である。
【図２０】第３実施例の更なる変形例の美容器具又は運動器具の正面図である。
【図２１】図２０のX21−X21線に沿った断面図である。
【符号の説明】
【００５３】
１    介護補助具
２    中央隔壁
３    膝載せ空間
４    側壁
４ａ    側壁の外面
５    底面
５ａ    底面の左右の側部分
５ｂ    底面の前後端部分
５ｃ    底面の中央部分
６    アウタ
７    取っ手
１０    要介護者
１１    介護者
１２    縦穴
１３    第１部材
１３ａ  第１部材の縦ロッド
１３ｂ  第１部材の錘
１４    第２部材
１４ａ  第２部材の縦ロッド
１４ｂ  第２部材のハンドル
【図１】
2007244426.tif 000003
【図２】
2007244426.tif 000004
【図３】
2007244426.tif 000005
【図４】
2007244426.tif 000006
【図５】
2007244426.tif 000007
【図６】
2007244426.tif 000008
【図７】
2007244426.tif 000009
【図８】
2007244426.tif 000010
【図９】
2007244426.tif 000011
【図１０】
2007244426.tif 000012
【図１１】
2007244426.tif 000013
【図１２】
2007244426.tif 000014
【図１３】
2007244426.tif 000015
【図１４】
2007244426.tif 000016
【図１５】
2007244426.tif 000017
【図１６】
2007244426.tif 000018
【図１７】
2007244426.tif 000019
【図１８】
2007244426.tif 000020
【図１９】
2007244426.tif 000021
【図２０】
2007244426.tif 000022
【図２１】
2007244426.tif 000023